(57)【要約】【課題】火災警報器１００などの警報装置において、異常検出時のスピーカ５ａによる故障警告音と緑表示部４Ｇの発光表示により故障発生を容易に認識できるようにする。【解決手段】火災センサ１１、ＣＯセンサ１２等の故障、電池電圧低下等の異常を検出する。異常が検出されたとき、緑表示部４Ｇを３回点滅、あるいは１回点灯の動作を行い、この点滅あるいは点灯の動作を１０秒間隔で繰り返す。この点滅や点灯の動作の直前（１．６５秒前）にスピーカ５ａにより故障警告音「ピピピ」や「ピ」を発生させる。この故障警告音と緑表示部４Ｇの点滅あるいは点灯の動作に人が動作する所定時間だけの時間差を設ける。故障警告音を聞いて、火災警報器１００の方を見たときに、緑表示部４Ｇの点滅や点灯を視認できるようにする。【選択図】図１
2013041627.tif 000002
【特許請求の範囲】
【請求項１】
ケース本体に警報表示部と警報出力部とが設けられ、監視領域に装置単体で設置されて該監視領域における異常発生を検出して異常発生を警報するとともに、装置の異常発生を検出して該装置異常発生時に前記警報出力部で異常警報音を出力して、前記警報表示部で異常警報表示を行う警報装置において、
前記装置異常発生時に、前記異常警報音の発生後、０．５秒乃至５秒の範囲の所定時間だけ遅らせてＬＥＤの点滅により前記異常警報表示を行うことを特徴とする警報装置。
【発明の詳細な説明】
【技術分野】
【０００１】
本発明は、火災警報器やガス漏れ警報器など、監視領域における異常発生を検出して警報する警報装置に関する。
【背景技術】
【０００２】
警報装置は、監視領域に設置されると、その監視領域における例えば、ガス、二酸化炭素、一酸化炭素等の漏れ発生や火災の発生などの各種異常発生を検出して警報を行うものである。
【０００３】
このような警報装置においては、火災を検出する火災センサや、ガス漏れを検出するガスセンサの故障、電池電圧の低下など、装置の異常発生することが考えられる。万一このような異常が発生した場合には装置異常発生の事実を、当該警報装置で報知する必要がある。
【０００４】
そこで、このような装置異常を報知する警報装置として、例えば特開２００２−４２２６８号公報（特許文献１）に開示されたものがある。特許文献１のものは、故障が発生するとＬＥＤで表示するとともに音声主部から故障警告音を発生するものである。また、ＬＥＤ等の警報ランプを点滅させて故障の発生を表示するとともに、その警報ランプの点灯形態により故障の種類を表示するものもある。
【先行技術文献】
【特許文献】
【０００５】
【特許文献１】特開２００２−４２２６８号公報
【発明の概要】
【発明が解決しようとする課題】
【０００６】
特許文献１のようにＬＥＤ等を点灯する場合、ＬＥＤの点灯を多様すると電池の消耗を早めるなどの問題があるため、このＬＥＤの点灯は、通常は一定時間（一定期間）毎に数回の点滅や一回の点灯を行うのが通常である。また、特許文献１のように異常警報音（故障警告音）を発生すると、この異常警報音によりＬＥＤ等を視認していなくても故障発生を知ることができるが、この異常警報音も電池の消耗や騒音等を考慮して定期的に発生するようにしている。
【０００７】
しかしながら、このようにＬＥＤの点灯すなわち異常警報表示や異常警報音は限られたタイミングでしか行われないため、在宅中でも異常警報表示や異常警報音に気が付き難いという問題がある。特に異常警報表示は、その警報器を見ていなければ気が付かない。また、特許文献１のように異常警報表示と異常警報音の発生を同時に行うと、異常警報音が鳴ったことに気が付いても、その音が何の音であるか直ぐに思いつくとは考え難い。特に、その異常警報音が鳴った方を見ても、異常警報表示はすでに消灯しているので、警報装置の異常であるとは気が付き難い。
【０００８】
本発明は、異常警報音と異常警報表示を行う警報装置において、警報装置の故障などの異常を宅内者が速やかに認識できるようにすることを課題とする。
【課題を解決するための手段】
【０００９】
請求項１の警報装置は、ケース本体に警報表示部と警報出力部とが設けられ、監視領域に装置単体で設置されて該監視領域における異常発生を検出して異常発生を警報するとともに、装置の異常発生を検出して該装置異常発生時に前記警報出力部で異常警報音を出力して、前記警報表示部で異常警報表示を行う警報装置において、前記装置異常発生時に、前記異常警報音の発生後、０．５秒乃至５秒の範囲の所定時間だけ遅らせてＬＥＤの点滅により前記異常警報表示を行うことを特徴とする。
【発明の効果】
【００１０】
請求項１の警報装置によれば、センサ等の故障や電池電圧低下など装置異常が検出されると、まず異常警報音が発生され、その後、所定時間だけ遅れて異常警報表示が行われるので、異常警報音を聞いてその警報音が鳴った方向すなわち当該警報装置の方に振り向いたときに、そのタイミングで異常警報表示が行われるか、振り向いた直ぐ後に異常警報表示が行われる可能性が極めて高いので、宅内者は当該警報装置の異常であることを容易に認識することができる。なお、所定時間とは、異常警報音を聞いてから異常警報表示を見るような動作を行うと想定される時間である。すなわち、所定時間が、０．５秒乃至５秒の範囲の所定時間であるので、多くの人の動作に対応できる可能性が高い。
【図面の簡単な説明】
【００１１】
【図１】本発明の警報装置の一実施の形態である火災警報器の外観正面図である。
【図２】同火災警報器の要部ブロック図である。
【図３】実施形態におけるＬＥＤの点灯の間隔と故障警告音のタイミングの詳細を示す図である。
【図４】実施形態におけるＬＥＤの点灯と故障警告音の例を示すタイミングチャートである。
【図５】実施形態に係るフローチャートである。
【発明を実施するための形態】
【００１２】
次に、本発明の実施の形態を図面を参照して説明する。図１は本発明の警報装置の一実施の形態である火災警報器の外観正面図、図２は同火災警報器の要部ブロック図であり、この火災警報器は一酸化炭素（ＣＯ）を検出する機能を備えたものである。
【００１３】
図１及び図２において、火災警報器１００は、略矩形状に形成されており、監視領域の壁や天井等に設置される。なお、監視領域とは、火災警報器１の監視が可能な設置場所である部屋、範囲等を示している。
【００１４】
火災警報器１００は、中空箱状のケース本体１と、ケース本体１と一体に形成された火災センサケース２と、ケース本体１から手前に離間して配置されたパネル３とを有している。火災センサケース２は周囲に通気可能な隙間を多数有しており、この火災センサケース２内には周知の光電式センサなどで煙を検出する火災センサ１１が配設されている。そして、この火災センサ１１は、ケース本体１とパネル３との間から火災センサケース２内に流入する煙を検出する。また、ケース本体１内には電気化学式のＣＯセンサ１２が配設されており、このＣＯセンサ１２はケース本体１に形成された図示しない透孔から流入する一酸化炭素を検出する。そして、火災警報器１００は、火災センサ１１又はＣＯセンサ１２の少なくとも一方が出力したセンサ出力が予め定められた警報レベルに達したときに、警報音、警報表示等によって警報を行う。
【００１５】
ケース本体１の前面下部には、警報表示部４と警報出力部５とが設けられている。警報表示部４は、ケース本体１内の緑ＬＥＤ４ｇ、黄ＬＥＤ４ｙ、赤ＬＥＤ４ｒ（図２参照）の点灯によりそれぞれの透過光によって発光するものであり、「おしらせ」と記された緑発光部４Ｇ、「ＣＯ」と記された黄発光部４Ｙ、「火災」と記された赤発光部４Ｒを有している。また、警報出力部５には、ケース本体１内のスピーカ５ａ（図２参照）からの警報音を外部に出力するための複数の放音孔５ｂが形成されている。
【００１６】
なお、警報表示部４と警報出力部５との間には、警報停止や点検操作を行うための点検スイッチ７ａ（図２参照）をオン／オフするための点検ボタン７が配設されている。また、ケース本体１の下部には、点検スイッチ７ａをオン／オフするための摘み８ａを備えた点検紐８が取り付けられている。
【００１７】
図２に示すように、火災警報器１００は制御部１０を備えており、この制御部１０はＣＰＵ１０ａ、ＲＯＭ１０ｂ及びＲＡＭ１０ｃ等からなるマイコンで構成されている。この制御部１０には前記火災センサ１１、ＣＯセンサ１２、緑ＬＥＤ４ｇ、黄ＬＥＤ４ｙ、赤ＬＥＤ４ｒ、点検スイッチ７ａが接続され、さらに、電池電圧を検出する電池電圧検出回路２０、スピーカ５ａから音声を出力するための音声出力回路３０、ＣＯセンサ及び電源回路の温度を検出するサーミスタ４０、各種設定データ等を記憶するＥＥＰＲＯＭ５０、出荷前にパーソナルコンピュータと通信を行ったり他の機器と連動するためのインターフェース（Ｉ／Ｆ）部６０等が接続されている。
【００１８】
制御部１０のＣＰＵ１０ａは、周知のように、予め定めたプログラムに従って各種の処理や制御などを行うものであり、ＲＯＭ１０ｂには、このＣＰＵ１０ａのための後述の制御プログラム等が格納されている。そして、ＣＰＵ１０ａは、ＲＡＭのワーキングエリアを利用して各種の処理を行う。
【００１９】
以上の構成により、制御部１０は、通常の監視時には、火災センサ１１で火災発生が検出されると、赤ＬＥＤ４ｒの点灯制御と音声出力回路３０及びスピーカ５ａによる音声出力を行って、警報を報知する。また、ＣＯセンサ１２によりＣＯガス漏れの発生を検出すると、黄ＬＥＤ４ｙの点灯制御と音声出力回路３０及びスピーカ５ａによる音声出力を行って、警報を報知する。
【００２０】
また、制御部１０は、センサ及びＥＥＰＲＯＭの異常検査時には、火災センサ１１、ＣＯセンサ１２、サーミスタ４０及びＥＥＰＲＯＭ５０にそれぞれテスト信号を出力して、これら火災センサ１１、ＣＯセンサ１２、サーミスタ４０及びＥＥＰＲＯＭ５０の応答により故障（異常状態）を検出する。
【００２１】
また、電池電圧の検査時には、制御部１０は電池電圧検出回路２０の図示しない疑似負荷抵抗により電池の電圧をサンプリングする。そして、サーミスタ４０で得られた直近の温度値を考慮し、電池電圧低下を判定する。なお、この電池電圧の検査は２５時間等の一定間隔で行う。
【００２２】
次に、図５のフローチャートに基づいて火災警報器１００の要部動作を説明する。図５は監視モード時のメイン処理のフローチャートであり、先ず、ステップＳ１で火災センサ１１及びＣＯセンサ１２の検出信号を監視して、各信号レベルと警報レベルを比較し、火災発生時やＣＯガス発生が検出されると、警報音、警報表示等を行う。
【００２３】
次に、ステップＳ２〜Ｓ６で、火災センサ１１の検査時刻、ＣＯセンサ１２の検査時刻、サーミスタ４０の検査時刻、電池電圧の検査時刻、ＥＥＰＲＯＭ５０の検査時刻であるかを判定する。そして、火災センサ１１の検査時刻であれば、ステップＳ２１で火災センサ１１の故障を検査し、ステップＳ２２で故障が検出されたかを判定する。故障でなければステップＳ３に進み、故障であればステップＳ２３で後述の火災センサ故障時の処理を行う。ＣＯセンサ１２の検査時刻であれば、ステップＳ３１でＣＯセンサ１２の故障を検査し、ステップＳ３２で故障が検出されたかを判定する。故障でなければステップＳ４に進み、故障であればステップＳ３３で後述のＣＯセンサ故障時の処理を行う。
【００２４】
サーミスタ４０の検査時刻であれば、ステップＳ４１でサーミスタ４０の故障を検査し、ステップＳ４２で故障が検出されたかを判定する。故障でなければステップＳ５に進み、故障であればステップＳ４３で後述のサーミスタ故障時の処理を行う。電池電圧の検査時刻であれば、ステップＳ５１で電池電圧を検査し、ステップＳ５２で電池の電圧低下が検出されたかを判定する。電圧低下でなければステップＳ６に進み、電圧低下であればステップＳ５３で後述の電圧低下時の処理を行う。ＥＥＰＲＯＭ５０の検査時刻であれば、ステップＳ６１でＥＥＰＲＯＭ５０の故障を検査し、ステップＳ６２で故障が検出されたかを判定する。故障でなければステップＳ７に進み、故障であればステップＳ６３で後述のＥＥＰＲＯＭ故障時の処理を行う。ステップＳ７ではその他の処理を行ってステップＳ１に戻るが、このその他の処理では、他の部位の故障処理などを行う。
【００２５】
このように、火災警報器１００は各部の検査を行い、その故障や電池電圧低下などの異常状態が検出されると、上記火災センサ故障時の処理、ＣＯセンサ故障時の処理、サーミスタ故障時の処理、電圧低下時の処理、ＥＥＰＲＯＭ故障時の処理にそれぞれ対応して、以下の表１のように、「異常警報音」として故障警告音を音声出力回路３０及びスピーカ５ａから出力する。また、後述のように、この故障警告音とともに「異常警報表示」を行うために緑ＬＥＤ４ｇを点灯制御する。
【００２６】
【表１】
2013041627.tif 000003
【００２７】
図４は故障警告音と緑ＬＥＤ４ｇの点灯制御の例を示すタイミングチャートであり、このタイミングチャートは火災センサ１１の故障時の例である。図４(A) のように、火災センサ１１の故障が検出されると、例えば１秒内に３回の点滅を行い、この３回の点滅を１０秒間隔で繰り返す。そして、２回目の３回の点滅の直前（１．６５秒前）に「ピピピ、警報器、故障です。ピピピ、警報器、故障です。ピピピ、警報器、故障です。販売店に連絡して下さい。」と故障警告音とメッセージを発生させる。また、この故障警告音の発生から６０秒後（８回目の３回の点滅の１．６５秒前）に「ピピピ」と故障警告音を発生させ、以後、この「ピピピ」の故障警告音を６０秒間隔で、それぞれ３回の点滅の１．６５秒前に発生させる。さらに、上記故障警告音とメッセージとの発生は、１時間間隔で行う。そして、図４(B) のように、点検スイッチ７ａのオン操作があると、上記故障警告音とメッセージを発生させ、それ以降は音声出力（鳴動）は停止する。
【００２８】
図３(A) は上記３回の点滅の間隔と故障警告音のタイミングの詳細を示す図であり、３回の点滅の間隔は１０秒で、前の点滅から８秒後に０．３５秒間「故障チェック」の処理を行い、「ピピピ」と故障警告音を発生させる。すなわち、この故障警告音は次の３回の点滅の１．６５秒前となり、この故障警告音から遅れて次の３回の点滅を行うことになる。上記の例は火災センサ１１の故障時の例であるが、電池電圧低下時には、図３(B) のようにする。すなわち、電池電圧低下が検出されると、１回の点滅を１０秒間隔で繰り返す。そして、６０秒毎に、点滅の直前（１．６５秒前）に「ピ」と故障警告音を発生させる。なお、０．３５秒の「故障チェック」の処理は、故障の有無の再確認を行う処理である。
【００２９】
このように、故障警告音の発生から１．６５秒後に３回の点滅あるいは１回の点灯が行われるので、故障警告音（異常警報音）を聞いてその警報音が鳴った火災警報装置１００の方に振り向いたときに、そのタイミングで緑ＬＥＤの表示を見ることができ、火災警報器１００の異常であることを容易に認識することができる。
【００３０】
なお、所定時間を設定変更できるようにしてもよい。
【００３１】
また、実施形態では、火災警報器を例に説明したが、その他の警報装置であってもよいことはいうまでもない。
【符号の説明】
【００３２】
４ｇ  緑ＬＥＤ
５ａ  スピーカ
１０  制御部
１１  火災センサ
１２  ＣＯセンサ
３０  音声出力回路
２０  電池電圧検出回路
４０  サーミスタ
５０  ＥＥＰＲＯＭ
１００  火災警報器（警報装置）
【図１】
2013041627.tif 000004
【図２】
2013041627.tif 000005
【図３】
2013041627.tif 000006
【図４】
2013041627.tif 000007
【図５】
2013041627.tif 000008
【手続補正書】
【提出日】平成24年12月27日(2012.12.27)
【手続補正１】
【補正対象書類名】明細書
【補正対象項目名】０００９
【補正方法】変更
【補正の内容】
【０００９】
請求項１の警報装置は、ケース本体に警報表示部と警報出力部とが設けられ、監視領域に装置単体で設置されて該監視領域における異常発生を検出して異常発生を警報するとともに、装置の異常発生を検出して該装置異常発生時に前記警報出力部で異常警報音を出力して、前記警報表示部で異常警報表示を行う警報装置において、前記装置異常発生時に、前記異常警報音の発生後、０．５秒乃至５秒の範囲の、ＬＥＤ異常警報音を聞いてから異常警報表示を見るような動作を行うと想定される時間である所定時間だけ遅らせてＬＥＤの点滅により前記異常警報表示を行うことを特徴とする。
請求項２の警報装置は、請求項１に記載の警報装置であって、前記装置の異常発生の検出対象が、火災センサの故障、ＣＯセンサの故障、サーミスタの故障、電池電圧の低下及びＥＥＰＲＯＭの故障であることを特徴とする。
【手続補正２】
【補正対象書類名】特許請求の範囲
【補正対象項目名】全文
【補正方法】変更
【補正の内容】
【特許請求の範囲】
【請求項１】
ケース本体に警報表示部と警報出力部とが設けられ、監視領域に装置単体で設置されて該監視領域における異常発生を検出して異常発生を警報するとともに、装置の異常発生を検出して該装置異常発生時に前記警報出力部で異常警報音を出力して、前記警報表示部で異常警報表示を行う警報装置において、
前記装置異常発生時に、前記異常警報音の発生後、０．５秒乃至５秒の範囲の、ＬＥＤ異常警報音を聞いてから異常警報表示を見るような動作を行うと想定される時間である所定時間だけ遅らせてＬＥＤの点滅により前記異常警報表示を行うことを特徴とする警報装置。
【請求項２】
前記装置の異常発生の検出対象が、火災センサの故障、ＣＯセンサの故障、サーミスタの故障、電池電圧の低下及びＥＥＰＲＯＭの故障であることを特徴とする請求項１に記載の警報装置。